(57)【要約】【課題】複数の異なる温度帯域で商品を保持すること。【解決手段】前面及び左右両側面に開口１０ａ等が形成され、内部に収納室１１が画成されたケース本体１０と、通風路２１等が吹出口と吸込口とに連通する通風路構成部２０と、通風路構成部２０の前面及び左右両側面にそれぞれ高さレベルが一致する態様で上下方向に沿って複数段設けられた商品載置棚５０と、収納室１１と通風路２１等との間で空気を循環させる複数の送風ファン３１等と、通風路２１等にそれぞれ設置され、通過する空気を冷却する複数の蒸発器４１Ｌ等とを備えたラウンド型オープンショーケースにおいて、収納室１１を複数に区画する断熱仕切板５１が装着された場合に、一方の蒸発器４１Ｌ等に対し、入力指令に応じて他の蒸発器４１Ｒ等よりも上昇させる制御部６０を備えている。【選択図】図４
2020153531.tif 000002
【特許請求の範囲】
【請求項１】
少なくとも前面及び左右両側面に開口が形成され、かつ内部に前記開口を臨む態様で収納室が画成されたケース本体と、
前記収納室の中央部に上下方向に沿って延在し、かつ内部に形成された通風路が前記開口の上縁部に形成された吹出口と前記開口の下縁部に形成された吸込口とに連通する通風路構成部と、
前記通風路構成部の前面及び左右両側面にそれぞれ高さレベルが一致する態様で上下方向に沿って複数段設けられ、かつ棚板の上面に収納対象である商品を載置する商品載置棚と、
前記吸込口を通じて前記収納室の空気を吸い込み、前記通風路を通過させてから前記吹出口より前記収納室に空気を吹き出す態様で空気を循環させる複数の送風ファンと、
前記通風路にそれぞれ設置され、かつ自身に供給された冷媒と自身の周囲を通過する空気とを熱交換させて該空気を冷却する複数の蒸発器と
を備え、前記商品載置棚に載置された商品を所望の温度状態に保持するラウンド型オープンショーケースにおいて、
前記収納室を複数に区画する仕切部材が装着された場合に、区画された一の領域の空気が通過する通風路に設置された蒸発器に対し、入力指令に応じて冷媒の蒸発温度を他の領域の空気が通過する通風路に設置された蒸発器よりも上昇させる制御手段を備えたことを特徴とするラウンド型オープンショーケース。
【請求項２】
少なくとも前面及び左右両側面に開口が形成され、かつ内部に前記開口を臨む態様で収納室が画成されたケース本体と、
前記収納室の中央部に上下方向に沿って延在し、かつ内部に形成された通風路が前記開口の上縁部に形成された吹出口と前記開口の下縁部に形成された吸込口とに連通する通風路構成部と、
前記通風路構成部の前面及び左右両側面にそれぞれ高さレベルが一致する態様で上下方向に沿って複数段設けられ、かつ棚板の上面に収納対象である商品を載置する商品載置棚と、
前記吸込口を通じて前記収納室の空気を吸い込み、前記通風路を通過させてから前記吹出口より前記収納室に空気を吹き出す態様で空気を循環させる複数の送風ファンと、
前記通風路にそれぞれ設置され、かつ自身に供給された冷媒と自身の周囲を通過する空気とを熱交換させて該空気を冷却する複数の蒸発器と
を備え、前記商品載置棚に載置された商品を所望の温度状態に保持するラウンド型オープンショーケースにおいて、
前記収納室を複数に区画する仕切部材が装着された場合に、区画された一の領域の空気が通過する通風路に設置された蒸発器に対し、入力指令に応じて冷媒流量を他の領域の空気が通過する通風路に設置された蒸発器よりも低減させる制御手段を備えたことを特徴とするラウンド型オープンショーケース。
【請求項３】
前記制御手段は、前記仕切部材により区画された複数の領域のうち、相対的に容積の小さい領域の空気を循環させる送風ファンの送風量を低減させる一方、相対的に容積の大きい領域の空気を循環させる送風ファンの送風量を増大させることを特徴とする請求項１又は請求項２に記載のラウンド型オープンショーケース。
【発明の詳細な説明】
【技術分野】
【０００１】
本発明は、ラウンド型オープンショーケースに関するものである。
【背景技術】
【０００２】
従来、ラウンド型オープンショーケースは、前面及び左右両側面に開口が形成されたケース本体を備えている。このケース本体には、各開口を臨む態様で収納室が画成されているとともに、該収納室の中央部に上下方向に沿って延在する通風路構成部が設けられている。通風路構成部の内部には、各開口の上縁部に形成された吹出口と各開口の下縁部に形成された吸込口とに連通する通風路が形成されている。この通風路構成部の前面及び左右両側面には、それぞれ高さレベルが一致する態様で商品載置棚が上下方向に沿って複数段設けられている。これら商品載置棚は、棚板の上面に収納対象である商品を載置するものである。また、吸込口で吸い込まれた空気が通風路に至るまでの間の経路上に蒸発器が配設されている。
【０００３】
このようなラウンド型オープンショーケースにおいては、吸込口を通じて吸い込こまれた収納室の空気が蒸発器で冷却され、その後に通風路を通過してから吹出口より吹き出される。吹出口から吹き出された空気が吸込口に吸い込まれて循環することにより、各商品載置棚に載置された商品が所望の温度に調整されて保持されることとなる（例えば、特許文献１参照）。
【先行技術文献】
【特許文献】
【０００４】
【特許文献１】特開２００５−２４１１３６号公報
【発明の概要】
【発明が解決しようとする課題】
【０００５】
ところで、上述した特許文献１に提案されているショーケースでは、収納室において、通風路構成部の前面の前方領域、通風路構成部の左側面の左方領域、通風路構成部の右側面の右方領域が互いに連通しているため、共通の温度帯域で商品を保持することはできるものの、複数の異なる温度帯域で商品を保持することができなかった。
【０００６】
本発明は、上記実情に鑑みて、複数の異なる温度帯域で商品を保持することができるラウンド型オープンショーケースを提供することを目的とする。
【課題を解決するための手段】
【０００７】
上記目的を達成するために、本発明に係るラウンド型オープンショーケースは、少なくとも前面及び左右両側面に開口が形成され、かつ内部に前記開口を臨む態様で収納室が画成されたケース本体と、前記収納室の中央部に上下方向に沿って延在し、かつ内部に形成された通風路が前記開口の上縁部に形成された吹出口と前記開口の下縁部に形成された吸込口とに連通する通風路構成部と、前記通風路構成部の前面及び左右両側面にそれぞれ高さレベルが一致する態様で上下方向に沿って複数段設けられ、かつ棚板の上面に収納対象である商品を載置する商品載置棚と、前記吸込口を通じて前記収納室の空気を吸い込み、前記通風路を通過させてから前記吹出口より前記収納室に空気を吹き出す態様で空気を循環させる複数の送風ファンと、前記通風路にそれぞれ設置され、かつ自身に供給された冷媒と自身の周囲を通過する空気とを熱交換させて該空気を冷却する複数の蒸発器とを備え、前記商品載置棚に載置された商品を所望の温度状態に保持するラウンド型オープンショーケースにおいて、前記収納室を複数に区画する仕切部材が装着された場合に、区画された一の領域の空気が通過する通風路に設置された蒸発器に対し、入力指令に応じて冷媒の蒸発温度を他の領域の空気が通過する通風路に設置された蒸発器よりも上昇させる制御手段を備えたことを特徴とする。
【０００８】
また、本発明に係るラウンド型オープンショーケースは、少なくとも前面及び左右両側面に開口が形成され、かつ内部に前記開口を臨む態様で収納室が画成されたケース本体と、前記収納室の中央部に上下方向に沿って延在し、かつ内部に形成された通風路が前記開口の上縁部に形成された吹出口と前記開口の下縁部に形成された吸込口とに連通する通風路構成部と、前記通風路構成部の前面及び左右両側面にそれぞれ高さレベルが一致する態様で上下方向に沿って複数段設けられ、かつ棚板の上面に収納対象である商品を載置する商品載置棚と、前記吸込口を通じて前記収納室の空気を吸い込み、前記通風路を通過させてから前記吹出口より前記収納室に空気を吹き出す態様で空気を循環させる複数の送風ファンと、前記通風路にそれぞれ設置され、かつ自身に供給された冷媒と自身の周囲を通過する空気とを熱交換させて該空気を冷却する複数の蒸発器とを備え、前記商品載置棚に載置された商品を所望の温度状態に保持するラウンド型オープンショーケースにおいて、前記収納室を複数に区画する仕切部材が装着された場合に、区画された一の領域の空気が通過する通風路に設置された蒸発器に対し、入力指令に応じて冷媒流量を他の領域の空気が通過する通風路に設置された蒸発器よりも低減させる制御手段を備えたことを特徴とする。
【０００９】
また本発明は、上記ラウンド型オープンショーケースにおいて、前記制御手段は、前記仕切部材により区画された複数の領域のうち、相対的に容積の小さい領域の空気を循環させる送風ファンの送風量を低減させる一方、相対的に容積の大きい領域の空気を循環させる送風ファンの送風量を増大させることを特徴とする。
【発明の効果】
【００１０】
本発明によれば、制御手段が、収納室を複数に区画する仕切部材が装着された場合に、区画された一の領域の空気が通過する通風路に設置された蒸発器に対し、入力指令に応じて冷媒の蒸発温度を他の領域の空気が通過する通風路に設置された蒸発器よりも上昇させるので、一の領域の温度を他の領域の温度よりも上昇させることができ、複数の異なる温度帯域で商品を保持することができるという効果を奏する。
【００１１】
また本発明によれば、制御手段が、収納室を複数に区画する仕切部材が装着された場合に、区画された一の領域の空気が通過する通風路に設置された蒸発器に対し、入力指令に応じて冷媒流量を他の領域の空気が通過する通風路に設置された蒸発器よりも低減させるので、一の領域の温度を他の領域の温度よりも上昇させることができ、複数の異なる温度帯域で商品を保持することができるという効果を奏する。
【図面の簡単な説明】
【００１２】
【図１】図１は、本発明の実施の形態であるラウンド型オープンショーケースを左方から見た場合を模式的に示す断面側面図である。
【図２】図２は、本発明の実施の形態であるラウンド型オープンショーケースを右方から見た場合を模式的に示す断面側面図である。
【図３】図３は、本発明の実施の形態であるラウンド型オープンショーケースを前面から見た場合を示す断面図である。
【図４】図４は、本発明の実施の形態であるラウンド型オープンショーケースの特徴的な制御系を模式的に示す模式図である。
【図５】図５は、図１〜図３に示した収納室に断熱仕切板が装着された状態を模式的に示す説明図であり、（ａ）は左側間隙に断熱仕切板が装着された例を示し、（ｂ）は右側間隙に断熱仕切板が装着された例を示している。
【発明を実施するための形態】
【００１３】
以下に添付図面を参照して、本発明に係るラウンド型オープンショーケースの好適な実施の形態について詳細に説明する。
【００１４】
図１〜図４は、それぞれ本発明の実施の形態であるラウンド型オープンショーケースを示すものであり、図１はラウンド型オープンショーケースを左方から見た場合を模式的に示す断面側面図であり、図２はラウンド型オープンショーケースを右方から見た場合を模式的に示す断面側面図であり、図３はラウンド型オープンショーケースを前面から見た場合を示す断面図であり、図４は特徴的な制御系を模式的に示す模式図である。ここで例示するラウンド型オープンショーケースは、ケース本体１０及び制御部（制御手段）６０を備えている。
【００１５】
ケース本体１０は、前面及び左右両側面に開口１０ａ，１０ｂ，１０ｃが形成された断熱筐体である。このケース本体１０は、その内部に収納室１１が画成されている。
【００１６】
収納室１１は、前面に形成された開口（以下、前面開口ともいう）１０ａ、左側面に形成された開口（以下、左側面開口ともいう）１０ｂ、右側面に形成された開口（以下、右側面開口ともいう）１０ｃを臨む態様で画成された室である。
【００１７】
このような収納室１１の中央部には、上下方向に沿って延在する柱状の通風路構成部２０が設けられている。この通風路構成部２０は、内部にそれぞれ上下方向に沿って延在する３つの通風路（前方通風路２１、左方通風路２２、右方通風路２３）が形成されている。
【００１８】
前方通風路２１は、収納室１１外であって収納室１１の下方側となる前方下側ダクト１２を通じて前方吸込口１２ａに連通し、かつ収納室１１外であって収納室１１の上方側の前方上側ダクト１３を通じて前方吹出口１３ａに連通している。ここで前方吸込口１２ａは、前面開口１０ａの下縁部に形成された開口である。前方吹出口１３ａは、前面開口１０ａの上縁部に形成された開口である。
【００１９】
そして、前方下側ダクト１２には前方送風ファン（空気循環手段）３１が配設されている。前方送風ファン３１は、例えば２つ設けられており、制御部６０から与えられる駆動指令により駆動して空気を循環させるものである。
【００２０】
左方通風路２２は、収納室１１外であって収納室１１の下方側となる左方下側ダクト１４を通じて左方吸込口１４ａに連通し、かつ収納室１１外であって収納室１１の上方側となる左方上側ダクト１５を通じて左方吹出口１５ａに連通している。ここで左方吸込口１４ａは、左側面開口１０ｂの下縁部に形成された開口である。左方吹出口１５ａは、左側面開口１０ｂの上縁部に形成された開口である。
【００２１】
そして、左方下側ダクト１４には左方送風ファン（空気循環手段）３２が配設されている。左方送風ファン３２は、例えば４つ設けられており、制御部６０から与えられる駆動指令により駆動して空気を循環させるものである。
【００２２】
右方通風路２３は、収納室１１外であって収納室１１の下方側となる右方下側ダクト１６を通じて右方吸込口１６ａに連通し、かつ収納室１１外であって収納室１１の上方側となる右方上側ダクト１７を通じて右方吹出口１７ａに連通している。ここで右方吸込口１６ａは、右側面開口１０ｃの下縁部に形成された開口である。右方吹出口１７ａは、右側面開口１０ｃの上縁部に形成された開口である。
【００２３】
そして、右方下側ダクト１６には右方送風ファン（空気循環手段）３３が配設されている。右方送風ファン３３は、例えば４つ設けられており、制御部６０から与えられる駆動指令により駆動して空気を循環させるものである。
【００２４】
ところで、左方下側ダクト１４及び右方下側ダクト１６には、それぞれ左方蒸発器４１Ｌ及び右方蒸発器４１Ｒが設置されている。これら左方蒸発器４１Ｌ及び右方蒸発器４１Ｒは、圧縮機４２、凝縮器４３及び２つの電子膨張弁４４Ｌ，４４Ｒとともに冷媒管路を通じて接続されることで冷媒を循環させる冷媒回路を構成している。
【００２５】
圧縮機４２は、制御部６０から与えられる駆動指令により駆動するもので、駆動する場合に、冷媒を圧縮するものである。凝縮器４３は、圧縮機４２で圧縮された冷媒と周囲空気とを熱交換させて該冷媒を凝縮させるものである。２つの電子膨張弁４４Ｌ，４４Ｒのうち、左方電子膨張弁４４Ｌは、凝縮器４３の出口側に接続されて２つに分岐された冷媒管路の一方に接続されており、制御部６０から与えられる開度指令に応じて開度が調整され、通過する冷媒を断熱膨張させて左方蒸発器４１Ｌに流通させるものである。右方電子膨張弁４４Ｒは、凝縮器４３の出口側に接続されて２つに分岐された冷媒管路の他方に接続されており、制御部６０から与えられる開度指令に応じて開度が調整され、通過する冷媒を断熱膨張させて右方蒸発器４１Ｒに流通させるものである。左方蒸発器４１Ｌは、左方電子膨張弁４４Ｌで断熱膨張した冷媒と、左方下側ダクト１４を通過する空気とを熱交換して該空気を冷却するものである。右方蒸発器４１Ｒは、右方電子膨張弁４４Ｒで断熱膨張した冷媒と、右方下側ダクト１６を通過する空気とを熱交換して該空気を冷却するものである。
【００２６】
上記通風路構成部２０の前面及び左右両側面には、複数の孔部２４が形成されている。これら孔部２４は、複数の高さレベルにおいて左右方向若しくは前後方向に沿って所定間隔毎に形成されている。
【００２７】
また上記通風路構成部２０の前面及び左右両側面には、それぞれ複数の商品載置棚５０が上下方向に沿って並ぶよう設けられている。これら商品載置棚５０は、それぞれ商品を載置するものである。
【００２８】
そして、通風路構成部２０の前面に設けられた商品載置棚５０（以下、前方商品載置棚５０ａともいう）と、通風路構成部２０の左側面に設けられた商品載置棚５０（以下、左方商品載置棚５０ｂともいう）との間には、収納室１１を２つに区画するための仕切部材である断熱仕切板５１（図５参照）の挿入を許容する左側間隙ＳＬが形成されるとともに、前方商品載置棚５０ａと、通風路構成部２０の右側面に設けられた商品載置棚５０（以下、右方商品載置棚５０ｃともいう）との間には、断熱仕切板５１の挿入を許容する右側間隙ＳＲが形成されている。
【００２９】
制御部６０は、上述した、前方送風ファン３１、左方送風ファン３２、右方送風ファン３３、圧縮機４２、左方電子膨張弁４４Ｌ及び右方電子膨張弁４４Ｒに電気的に接続されるとともに、検知部６１及び入力部６２に電気的に接続されている。この制御部６０は、電気的に接続された記憶部６０ａに記憶されたプログラムやデータにしたがってラウンド型オープンショーケースの各部の動作を統括的に制御するものである。尚、制御部６０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００３０】
検知部６１は、図５の（ａ）に示すように断熱仕切板５１が左側間隙ＳＬに装着されたか否か、並びに図５の（ｂ）に示すように断熱仕切板５１が右側間隙ＳＲに装着された否かを検知するものである。この検知部６１は、断熱仕切板５１が装着されたことを検知した場合には、検知信号を制御部６０に与えるものである。入力部６２は、例えばテンキーやタッチパネル等により構成されており、制御部６０に対して種々の入力指令を与える入力手段である。
【００３１】
以上のような構成を有するラウンド型オープンショーケースにおいては、次のようにして収納室１１の商品を所望の温度状態に冷却して保持することができる。
【００３２】
図５の（ａ）に示したように、左側間隙ＳＬに断熱仕切板５１が装着されたことを検知部６１が検知した場合、制御部６０は、断熱仕切板５１により区画された２つの領域のうち、相対的に容積の小さい領域、すなわち通風路構成部２０の左方領域の空気を循環させる左方送風ファン３２の送風量を低減させる一方、相対的に容積の大きい領域、すなわち通風路構成部２０の前方領域及び右方領域の空気を循環させる前方送風ファン３１及び右方送風ファン３３の送風量を増大させる。
【００３３】
入力部６２を通じて、左方領域を高温度域、前方領域及び右方領域を低温度域に設定された場合、制御部６０は、右方電子膨張弁４４Ｒの開度を維持しつつ左方電子膨張弁４４Ｌの開度を増大させて左方蒸発器４１Ｌでの冷媒の蒸発温度を右方蒸発器４１Ｒよりも上昇させる。
【００３４】
これにより、左方蒸発器４１Ｌで冷却された空気は、左方吹出口１５ａより吹き出されて左方吸込口１４ａに向けてエアカーテンを形成し、外部からの熱の侵入を抑制しつつ左方領域の商品を冷却する。
【００３５】
一方、右方蒸発器４１Ｒで冷却された空気は、右方吹出口１７ａより吹き出されて右方吸込口１６ａに向けてエアカーテンを形成し、外部からの熱の侵入を抑制しつつ右方領域の商品を冷却する。また右方吹出口１７ａより吹き出された空気の一部は、前方吸込口１２ａより吸い込まれ、前方通風路２１を通過してから前方吹出口１３ａから吹き出されることによりエアカーテンを形成し、しかも右方領域と連通しているので、前方領域の商品も右方領域の商品と同様に冷却される。
【００３６】
そして、左方蒸発器４１Ｌでの冷媒の蒸発温度を右方蒸発器４１Ｒよりも上昇させたことにより、左方領域を高温度域、前方領域及び右方領域を低温度域として、２つの異なる温度域で商品を保持することができる。
【００３７】
入力部６２を通じて、左方領域を低温度域、前方領域及び右方領域を高温度域に設定された場合、制御部６０は、左方電子膨張弁４４Ｌの開度を維持しつつ右方電子膨張弁４４Ｒの開度を増大させて右方蒸発器４１Ｒでの冷媒の蒸発温度を左方蒸発器４１Ｌよりも上昇させる。
【００３８】
これにより、左方蒸発器４１Ｌで冷却された空気は、左方吹出口１５ａより吹き出されて左方吸込口１４ａに向けてエアカーテンを形成し、外部からの熱の侵入を抑制しつつ左方領域の商品を冷却する。
【００３９】
一方、右方蒸発器４１Ｒで冷却された空気は、右方吹出口１７ａより吹き出されて右方吸込口１６ａに向けてエアカーテンを形成し、外部からの熱の侵入を抑制しつつ右方領域の商品を冷却する。また右方吹出口１７ａより吹き出された空気の一部は、前方吸込口１２ａより吸い込まれ、前方通風路２１を通過してから前方吹出口１３ａから吹き出されることによりエアカーテンを形成し、しかも右方領域と連通しているので、前方領域の商品も右方領域の商品と同様に冷却される。
【００４０】
そして、右方蒸発器４１Ｒでの冷媒の蒸発温度を左方蒸発器４１Ｌよりも上昇させたことにより、左方領域を低温度域、前方領域及び右方領域を高温度域として、２つの異なる温度域で商品を保持することができる。
【００４１】
図５の（ｂ）に示したように、右側間隙ＳＲに断熱仕切板５１が装着されたことを検知部６１が検知した場合、制御部６０は、断熱仕切板５１により区画された２つの領域のうち、相対的に容積の小さい領域、すなわち通風路構成部２０の右方領域の空気を循環させる右方送風ファン３３の送風量を低減させる一方、相対的に容積の大きい領域、すなわち通風路構成部２０の前方領域及び左方領域の空気を循環させる前方送風ファン３１及び左方送風ファン３２の送風量を増大させる。
【００４２】
入力部６２を通じて、右方領域を高温度域、前方領域及び左方領域を低温度域に設定された場合、制御部６０は、左方電子膨張弁４４Ｌの開度を維持しつつ右方電子膨張弁４４Ｒの開度を増大させて右方蒸発器４１Ｒでの冷媒の蒸発温度を左方蒸発器４１Ｌよりも上昇させる。
【００４３】
これにより、右方蒸発器４１Ｒで冷却された空気は、右方吹出口１７ａより吹き出されて右方吸込口１６ａに向けてエアカーテンを形成し、外部からの熱の侵入を抑制しつつ右方領域の商品を冷却する。
【００４４】
一方、左方蒸発器４１Ｌで冷却された空気は、左方吹出口１５ａより吹き出されて左方吸込口１４ａに向けてエアカーテンを形成し、外部からの熱の侵入を抑制しつつ左方領域の商品を冷却する。また左方吹出口１５ａより吹き出された空気の一部は、前方吸込口１２ａより吸い込まれ、前方通風路２１を通過してから前方吹出口１３ａから吹き出されることによりエアカーテンを形成し、しかも左方領域と連通しているので、前方領域の商品も左方領域の商品と同様に冷却される。
【００４５】
そして、右方蒸発器４１Ｒでの冷媒の蒸発温度を左方蒸発器４１Ｌよりも上昇させたことにより、右方領域を高温度域、前方領域及び左方領域を低温度域として、２つの異なる温度域で商品を保持することができる。
【００４６】
入力部６２を通じて、右方領域を低温度域、前方領域及び左方領域を高温度域に設定された場合、制御部６０は、右方電子膨張弁４４Ｒの開度を維持しつつ左方電子膨張弁４４Ｌの開度を増大させて左方蒸発器４１Ｌでの冷媒の蒸発温度を右方蒸発器４１Ｒよりも上昇させる。
【００４７】
これにより、右方蒸発器４１Ｒで冷却された空気は、右方吹出口１７ａより吹き出されて右方吸込口１６ａに向けてエアカーテンを形成し、外部からの熱の侵入を抑制しつつ右方領域の商品を冷却する。
【００４８】
一方、左方蒸発器４１Ｌで冷却された空気は、左方吹出口１５ａより吹き出されて左方吸込口１４ａに向けてエアカーテンを形成し、外部からの熱の侵入を抑制しつつ左方領域の商品を冷却する。また左方吹出口１５ａより吹き出された空気の一部は、前方吸込口１２ａより吸い込まれ、前方通風路２１を通過してから前方吹出口１３ａから吹き出されることによりエアカーテンを形成し、しかも左方領域と連通しているので、前方領域の商品も左方領域の商品と同様に冷却される。
【００４９】
そして、左方蒸発器４１Ｌでの冷媒の蒸発温度を右方蒸発器４１Ｒよりも上昇させたことにより、右方領域を低温度域、前方領域及び左方領域を高温度域として、２つの異なる温度域で商品を保持することができる。
【００５０】
以上説明したように、本発明の実施の形態であるラウンド型オープンショーケースによれば、収納室１１を２つに区画する断熱仕切板５１が装着された場合に、制御部６０が、区画された一方の領域の空気が通過する通風路（２２，２３）に設置された蒸発器（４１Ｌ，４１Ｒ）に対し、入力指令に応じて冷媒の蒸発温度を他の蒸発器よりも上昇させるので、２つの異なる温度域で商品を保持することができる。
【００５１】
上記ラウンド型オープンショーケースによれば、制御部６０が、断熱仕切板５１により区画された２つの領域のうち、相対的に容積の小さい領域の空気を循環させる送風ファン（３１，３２，３３）の送風量を低減させる一方、相対的に容積の大きい領域の空気を循環させる送風ファン（３１，３２，３３）の送風量を増大させるので、送風ファン全体の送風量を同一のものとしながら、容積の大きさに応じて空気の循環量を調整することができ、消費電力の増大を抑制しながら、収納室１１の温度を変化させることができる。
【００５２】
以上、本発明の好適な実施の形態について説明したが、本発明はこれに限定されるものではなく、種々の変更を行うことができる。
【００５３】
上述した実施の形態では、冷媒循環手段の膨張機構として電子膨張弁４４Ｌ，４４Ｒを用いたため、電子膨張弁４４Ｌ，４４Ｒの開度を調整することにより蒸発器（４１Ｌ，４１Ｒ）における冷媒の蒸発温度を他の蒸発器（４１Ｌ，４１Ｒ）よりも上昇するように調整したが、本発明においては、膨張機構として電子膨張弁４４Ｌ，４４Ｒの代わりに温度膨張弁を適用することもできる。このように温度膨張弁を適用する場合には温度膨張弁と蒸発器との間に電磁弁を設けることが好ましい。そして、制御手段は、収納室を複数に区画する仕切部材が装着された場合に、区画された一の領域の空気が通過する通風路に設置された蒸発器に対し、入力指令に応じて電磁弁の閉状態となる時間を増大させて該蒸発器に対する冷媒流量を他の蒸発器よりも低減させることにより、蒸発器に対する冷媒流量を調整し、複数の異なる温度帯域に商品を保持するようにしてもよい。
【００５４】
上述した実施の形態では、断熱仕切板５１により収納室１１を２つに区画していたが、本発明においては、仕切部材を用いて収納室を３以上の複数に区画するようにしてもよい。
【００５５】
上述した実施の形態では、断熱仕切板５１により区画したそれぞれの領域について、温度帯域が異なるもののともに商品を冷却していたが、本発明においては、いずれか一の領域については、蒸発器による空気の冷却を停止させて、商品を常温度域で保持するようにしてもよい。
【符号の説明】
【００５６】
１０…ケース本体、１０ａ…前面開口、１０ｂ…左側面開口、１０ｃ…右側面開口、１１…収納室、２０…通風路構成部、２１…前方通風路、２２…左方通風路、２３…右方通風路、３１…前方送風ファン、３２…左方送風ファン、３３…右方送風ファン、４１Ｌ，４１Ｒ…蒸発器、４２…圧縮機、４３…凝縮器、４４Ｌ，４４Ｒ…電子膨張弁、５０…商品載置棚、５１…断熱仕切板、６０…制御部、６１…検知部、６２…入力部。
【図１】
2020153531.tif 000003
【図２】
2020153531.tif 000004
【図３】
2020153531.tif 000005
【図４】
2020153531.tif 000006
【図５】
2020153531.tif 000007